(57)【要約】【課題】洗浄液の排液管において油分等による詰まりが生じ難いレンジフードを提供する。【解決手段】流体が取り込まれる内部空間と、内部空間から流体を排気する排気口１９とを有するハウジング２と、ハウジング２に流体を取り込むための吸気口２３と、ハウジング２の流体の取り込み側に配置されている整流板１３と、ハウジング２の内部空間の洗浄時に洗浄液を噴射する洗浄液噴射部Ｎと、廃液を排液するために整流板１３に設けられる排液口２５と、排液口２５とハウジング２の外側とを連通する排液管２６、２９と、排液管２６、２９に対して着脱自在に装着されるフィルターユニット３０とを備える、レンジフード１。【選択図】図３
2019158261.tif 000002
【特許請求の範囲】
【請求項１】
流体が取り込まれる内部空間と、前記内部空間から流体を排気する排気口とを有するハウジングと、
前記ハウジングに流体を取り込むための吸気口と、
前記ハウジングの前記流体の取り込み側に配置されている整流板と、
前記ハウジングの内部空間の洗浄時に洗浄液を噴射する洗浄液噴射部と、
廃液を排液するために前記整流板に設けられる排液口と、
前記排液口と前記ハウジングの外側とを連通する排液管と、
前記排液管に対して着脱自在に装着されるフィルターユニットとを備える、レンジフード。
【請求項２】
前記排液管が、前記排液口に連通されている第１排液管と、前記第１排液管と分離されて前記ハウジングの外側とを連通する第２排液管とに分離可能であって、前記第１排液管と前記第２排液管との間に、前記フィルターユニットが装着される請求項１に記載のレンジフード。
【請求項３】
前記吸気口を開放する第１位置と、前記ハウジングの内部空間の洗浄時に前記吸気口を閉鎖する第２位置との間で、前記整流板が、前記ハウジングに対して上下方向に移動可能に構成されている請求項２に記載のレンジフード。
【請求項４】
前記フィルターユニットが、前記第１排液管が挿入される被挿入部と、前記第２排液管に挿入される挿入部とを備え、前記被挿入部及び前記挿入部の内側に、前記廃液を導入する導入路が形成されており、前記導入路にフィルターが設けられており、フィルターユニットの着脱時において前記第１排液管が通過可能な切欠き部が前記被挿入部に設けられている請求項２又は３に記載のレンジフード。
【請求項５】
前記排液管を覆うカバー部材を備える請求項１〜４のいずれか１項に記載のレンジフード。
【請求項６】
前記フィルターユニットの装着状態を検知する着脱検知スイッチを備える請求項１〜５のいずれか１項に記載のレンジフード。
【発明の詳細な説明】
【技術分野】
【０００１】
本発明は洗浄機能付きのレンジフードに関する。
【背景技術】
【０００２】
従来の洗浄機能付きレンジフードとしては、例えば以下の特許文献１に開示されるような、洗浄液循環式の洗浄装置を備えるレンジフードが知られている。
このレンジフードでは、洗浄液循環式の洗浄装置がフィルターの全周に洗浄液を吹き付けて循環させることによって、フィルターに捕獲された廃ガス中の油分等がフィルターから除去される。そして、洗浄液及び油分等を含む廃液は、その光透過率が算出されて汚れ度合が判断され、汚れ度合が高い場合は、排液弁が開かれて排液管を介してレンジフードの外部に排出される。
【先行技術文献】
【特許文献】
【０００３】
【特許文献１】特許第４３１０５５８号公報
【発明の概要】
【発明が解決しようとする課題】
【０００４】
しかしながら、上述のレンジフードでは、洗浄液及び油分等を含む廃液がそのまま、排液管より排出されてしまうため、排液管内に油分等が蓄積して詰まりを生じさせる虞がある。
【０００５】
従って、本発明の目的は、洗浄液の排液管において油分等による詰まりが生じ難いレンジフードを提供することにある。
【課題を解決するための手段】
【０００６】
この目的を達成するために、本発明に係るレンジフードの特徴構成は、流体が取り込まれる内部空間と、前記内部空間から流体を排気する排気口とを有するハウジングと、
前記ハウジングに流体を取り込むための吸気口と、
前記ハウジングの前記流体の取り込み側に配置されている整流板と、
前記ハウジングの内部空間の洗浄時に洗浄液を噴射する洗浄液噴射部と、
廃液を排液するために前記整流板に設けられる排液口と、
前記排液口と前記ハウジングの外側とを連通する排液管と、
前記排液管に対して着脱自在に装着されるフィルターユニットと、を備える点にある。
【０００７】
本構成によれば、排液管に対して着脱自在に装着されるフィルターユニットを備えるため、洗浄液及び油分等を含む廃液を排液管から外部に排出する際に、油分等がフィルターユニットのフィルターによって捕獲される。そのため、油分等が排液管内に蓄積することによる詰まりの発生を防止することができる。また、フィルターユニットが排液管に対して着脱自在に構成されているため、フィルターユニットを定期的に取り外して、そのフィルターの清掃を行うか、あるいはフィルターそのものを交換することも容易に行うことができる。
【０００８】
本発明に係るレンジフードの更なる特徴構成は、前記排液管が、前記排液口に連通されている第１排液管と、前記第１排液管と分離されて前記ハウジングの外側とを連通する第２排液管とに分離可能であって、前記第１排液管と前記第２排液管との間に、前記フィルターユニットが装着される点にある。
【０００９】
本構成によれば、第１排液管と第２排液管との間の分断部分を利用して、フィルターユニットを取付けることができる。
【００１０】
本発明に係るレンジフードの更なる特徴構成は、前記吸気口を開放する第１位置と、前記ハウジングの内部空間の洗浄時に前記吸気口を閉鎖する第２位置との間で、前記整流板が、前記ハウジングに対して上下方向に移動可能に構成されている点にある。
【００１１】
本構成によれば、整流板が上下方向に移動するレンジフードに対して、フィルターユニットを取付けることが可能となる。
【００１２】
本発明に係るレンジフードの更なる特徴構成は、前記フィルターユニットが、前記第１排液管が挿入される被挿入部と、前記第２排液管に挿入される挿入部とを備え、前記被挿入部及び前記挿入部の内側に、前記廃液を導入する導入路が形成されており、前記導入路にフィルターが設けられており、フィルターユニットの着脱時において前記第１排液管が通過可能な切欠き部が前記被挿入部に設けられている点にある。
【００１３】
本構成のフィルターユニットによって、廃液を導入する導入路が、第１排液管と第２排液管との間の分断部分に形成されるため、廃液を、当該導入路を介して第１排液管から第２排液管に確実に排出させつつ、当該導入部に設けられているフィルターによって、廃液中の油分等を捕獲することができる。さらに、本構成のフィルターユニットの被挿入部には、第１排液管が通過可能な切欠き部が設けられているため、第１排液管に干渉されることなく、フィルターユニットを着脱することができる。
【００１４】
本発明に係るレンジフードの更なる特徴構成は、前記排液管を覆うカバー部材を備える点にある。
【００１５】
本構成によれば、排液管を覆うカバー部材によって、排液管を流れる、洗浄液及び油分等を含む汚れた廃液が見え難くなり、外観上の意匠性も向上する。
【００１６】
本発明に係るレンジフードの更なる特徴構成は、前記フィルターユニットの装着状態を検知する着脱検知スイッチを備える点にある。
【００１７】
本構成によれば、着脱検知スイッチによってフィルターユニットの装着状態を検知することで、フィルターユニットが装着されていない状態では、洗浄動作が実施されないように構成することもできる。これにより、フィルターユニットの取付忘れが防止され、廃液が、より確実にフィルター処理されることとなり、油分等が排液管内に蓄積することによる詰まりの発生をより確実に防止することができる。
【図面の簡単な説明】
【００１８】
【図１】斜め上方から見たレンジフードの全体斜視図である。
【図２】レンジフードの横断面図である（離隔位置Ｐ０）。
【図３】図２の縦断面図である（離隔位置Ｐ０）。
【図４】第１支持部により整流板を支持した場合の縦断面図である（接触位置Ｐ１）。
【図５】第２支持部により整流板を支持した場合のレンジフードの横断面図である（接触位置Ｐ１）。
【図６】第２支持部により整流板を支持した場合の縦断面図である（接触位置Ｐ１）。
【図７】第１支持部としてのプランジャ機構の模式図である（離隔位置Ｑ０）。
【図８】第１支持部としてのプランジャ機構の模式図である（接触位置Ｑ１）。
【図９】第２支持部の模式図である（退避位置）。
【図１０】第２支持部の模式図である（支持位置）。
【図１１】装着する前のフィルターユニット部分を拡大した図である。
【図１２】装着後のフィルターユニット部分を拡大した図である。
【図１３】整流板が離隔位置Ｐ０にあるレンジフードの前から見たときのフィルターユニット部分の正面図である。
【図１４】整流板が接触位置Ｐ１にあるレンジフードの前から見たときのフィルターユニット部分の正面図である。
【発明を実施するための形態】
【００１９】
〔実施形態〕
本発明に係るレンジフードの実施形態について、図面を参照して説明する。まずはレンジフードの全体構成について図１〜図３を用いて説明する。
【００２０】
（１）レンジフードの全体構成
レンジフード１は、調理器（図示せず）の上方に設けられている。図１及び図３に示すように、レンジフード１は、箱状のハウジング２と、ハウジング２の下部に設けられた整流板１３と、ハウジング２の上部に設けられた排気口１９と、洗浄時にハウジング２の内部に洗浄液を供給する洗浄液供給部６５とを備えている。また、レンジフード１は、洗浄液供給部６５から洗浄液の供給を受け、レンジフード１の内部空間に洗浄液を噴射する洗浄液噴射部Ｎ（フード洗浄部４０、庫内洗浄部７０、送風機洗浄部４７）を備えている。また、レンジフード１は、レンジフード１での換気、レンジフード１の洗浄等の各種を動作させるための複数のボタン等の指示受付部（図示せず）を備えている。そして、レンジフード１は、指示受付部がユーザ等から指示を受け付けると、指示に応じた処理を行う制御部２０を備えている。
【００２１】
以下では、図１等に示す方向、つまり上、下、前、後、右、左にしたがって説明を行う。具体的には、整流板１３側を下とし、排気口１９側を上として上下方向を規定している。また、上下方向に対して直交する前後方向において、フード部１１の突出方向が前であり、その反対が後である。そして、これら上下方向及び前後方向に直交する方向が左右方向である。但し、この向きによって、本発明が限定されるものではない。
【００２２】
ハウジング２は、内部に第２空間Ｓ２（図３）を有し、下面が開口した直方体状の送風機庫１７と、送風機庫１７の下方に連続して形成され、送風機庫１７内部の第２空間Ｓ２と連通する第１空間Ｓ１（図３）を内部に有するフード部１１とを有する。フード部１１は、調理器（図示せず）を覆うように、送風機庫１７よりも前側、左右両側が拡張されて形成されており、フード部１１の後面と、送風機庫１７の後面とは概ね面一である。送風機庫１７の第２空間Ｓ２には送風機１５が設けられている。
【００２３】
ハウジング２の下部、つまりフード部１１の下部は開口を有しており、このフード部１１の下部の開口に対応して整流板１３が配置されている。この整流板１３とハウジング２とにより内部空間Ｓが形成されている。この内部空間Ｓに、フード部１１と整流板１３とにより形成される、フード部１１の内部の第１空間Ｓ１と、送風機庫１７の内部の第２空間Ｓ２とが含まれている。
【００２４】
送風機１５が駆動されると、内部空間Ｓには整流板１３の後述の吸気口２３を介して、調理で発生した煙、湯気及び臭気等の排気が取り込まれる。内部空間Ｓに取り込まれた排気は、ハウジング２の送風機庫１７の上部に設けられた排気口１９から排出される。
【００２５】
整流板１３についてさらに説明する。整流板１３は、四角形の板状の底壁１３ａと、底壁１３ａの４辺から上方に延出した側壁１３ｂとを有しており、上部の開口した扁平な箱状に構成されている。この整流板１３は、レンジフード１の最下部に、フード部１１の開口に対応して配置されている。上面視において、整流板１３は、フード部１１の開口よりも一回り小さく、フード部１１の開口の一部を覆うように配置されている。そして、整流板１３は、ハウジング２の内部に設けられた第１支持部８０によって、ハウジング２に対して吊り下げ状態で取り付けられている。
このように、整流板１３は、フード部１１の下部に配置され、上部の開口した扁平な箱状に構成されているため、ハウジング２内に洗浄液を供給すると、整流板１３が洗浄液及び油分等を含む廃液の受け皿となる。
【００２６】
第１支持部８０は、図１、図２等に示すように、例えば棒状の部材であり、ハウジング２の内壁において、整流板１３の底壁１３ａと対向する位置に取り付けられている。本実施形態では、第１支持部８０は、整流板１３の底壁１３ａの４隅に対応するように、フード部１１のパネル部１１ａ（上面部）に設けられた第１支持部８０ａ、８０ｂ、８０ｃ、８０ｄを含む。これらの第１支持部８０ａ〜８０ｄは、棒状の一端が、パネル部１１ａに固定されることで取り付けられている。そして、第１支持部８０は、棒状の他端が、整流板１３の底壁１３ａの上面の４隅に取り付けられることで、整流板１３をハウジング２に対して吊り下げている。
なお、第１支持部８０という場合は、第１支持部８０ａ〜８０ｄの総称をいうものとする。
【００２７】
第１支持部８０は、上下方向に伸縮可能であり、第１支持部８０が上下に伸縮することで、整流板１３がフード部１１内で上下する。例えば、整流板１３は、第１支持部８０の伸縮に伴って、底壁１３ａの下面がフード部１１の開口面と概ね面一となる離隔位置Ｐ０（図３等）と、側壁１３ｂの上端がハウジング２、具体的にはパネル部１１ａ（上面部）及び後述の前方板状部２４（上面部）に概ね接触する接触位置Ｐ１（図４等）との間を上下する。なお、整流板１３の側壁１３ｂの上面には、略全面に亘ってゴムパッキン等のシール材（図示せず）が取付けられており、側壁１３ｂの上端がパネル部１１ａ（上面部）及び前方板状部２４（上面部）に概ね接触する接触位置Ｐ１に位置した状態では、ある程度水密を維持した状態となっている。
【００２８】
そして、整流板１３は、離隔位置Ｐ０（第１位置）から接触位置Ｐ１（第２位置）まで上昇されて第１支持部８０により支持された後、第２支持部９０により底壁１３ａの下面が支持される。本実施形態では、第２支持部９０は第２支持部９０ａ、９０ｂを含む。第２支持部９０ａ、９０ｂそれぞれは、整流板１３を支持しない未使用時には、整流板１３の左右両側それぞれに対応して、外周部１１ｂの収納部１２ａ、１２ｂ内に収納されている。
なお、第２支持部９０という場合は、第２支持部９０ａ、９０ｂの総称をいうものとする。同様に、収納部１２という場合は、収納部１２ａ、１２ｂの総称をいうものとする。
第１支持部８０及び第２支持部９０の具体的構成、及び、整流板１３の上下動の詳細については後述する。
【００２９】
前述の通り、上面視において、整流板１３は、フード部１１の四角形状の開口よりも一回り小さい。よって、整流板１３が、離隔位置Ｐ０に配置されている場合には、図１、図２に示すように、上面視において、フード部１１の四角形状の開口と、四角形状の整流板１３の外周との間には四角の環状の隙間が形成されている。この隙間により、排気を取り込むための吸気口２３が形成されている。そして、この吸気口２３からハウジング２の内部空間Ｓに排気が取り込まれるが、吸気口２３が環状の隙間により形成されることで、吸気口２３の開口面積が絞られ、調理で発生した油分を含んだ排気の吸込速度が高まる。
【００３０】
なお、後述するが、吸気口２３は、レンジフード１の内部に洗浄液が噴射される場合には、整流板１３が接触位置Ｐ１まで上昇することで閉鎖される。よって、洗浄時に洗浄液及び油分等を含む廃液が、レンジフード１から漏出するのが抑制される。
一方、レンジフード１の内部空間Ｓに排気を取り込む場合には、離隔位置Ｐ０まで整流板１３が下降され、フード部１１と整流板１３の外周とにより、排気取り込み用の吸気口２３が形成される。
【００３１】
整流板１３には第１排水口２５が設けられており、レンジフード１の第１空間Ｓ１及び第２空間Ｓ２に噴射された洗浄液が第１排水口２５を介して排水される。第１排水口２５は、整流板１３の左右方向の中央部かつ前後方向の後部に設けられている。第１排水口２５からは排水管２６が延びている。整流板１３の底壁１３ａは、側壁１３ｂから第１排水口２５に向かうにつれて下方に向かっていると、排水が第１排水口２５に向かい易く好ましい。例えば、底壁１３ａは、前後方向において第１排水口２５に向かうにつれて下方に向かう構成と、左右方向において第１排水口２５に向かうにつれて下方に向かう構成との少なくともいずれかの構成が採用されて形成されていると好ましい。
【００３２】
フード部１１は、パネル部１１ａと、パネル部１１ａに連続して形成された外周部１１ｂとを有する。パネル部１１ａは、整流板１３が下方に配置された状態で、整流板１３と対向する板状部材である。外周部１１ｂは、パネル部１１ａの前側、左側及び右側において、パネル部１１ａの外側に向かって連続して、かつ下方に突出して形成されている。
【００３３】
そして、パネル部１１ａが整流板１３と対向しており、外周部１１ｂが整流板１３の前側、左側及び右側を吸気口２３を介して取り囲んでいる。フード部１１と整流板１３とにより図３等に示す第１空間Ｓ１が形成され、この第１空間Ｓ１に吸気口２３から取り込まれた排気が導入される。
【００３４】
第１空間Ｓ１には、整流板１３の上面に設けられたフード上方向噴射部４１と、フード部１１のパネル部１１ａの下面に設けられたフード下方向噴射部４３とを含むフード洗浄部４０が備えられている。フード上方向噴射部４１は、弁５１を介して洗浄液供給部６５に接続されており、フード下方向噴射部４３は、弁５３を介して洗浄液供給部６５に接続されている。そして、フード上方向噴射部４１は、制御部２０により弁５１が操作されることで、フード部１１のパネル部１１ａに対して、下部から上部に向かって洗浄液を噴射する。フード下方向噴射部４３は、制御部２０により弁５３が操作されることで、整流板１３に対して上部から下部に向かって洗浄液を噴射する。
【００３５】
なお、フード洗浄部４０は、フード上方向噴射部４１及びフード下方向噴射部４３を含まず、単一の多頭ノズルから構成され、この多頭ノズルから洗浄液を噴射して第１空間Ｓ１を洗浄してもよい。
第１空間Ｓ１に噴射された洗浄液及び油分等を含む廃液は、整流板１３が受け皿となり、整流板１３に設けられた第１排水口２５から排水される。
【００３６】
送風機庫１７は、フード部１１の上部に設けられた中空の直方体状の筐体である。送風機庫１７は、上壁１７ａと、上壁１７ａの４辺から下方に延びる側壁１７ｂと、上壁１７ａと対向する底壁１７ｃとを有している。側壁１７ｂには、図３等に示すように、前側の側壁１７ｂ１及び後側の側壁１７ｂ２が含まれる。また、側壁１７ｂには、図示しない左側の側壁及び右側の側壁が含まれる。
【００３７】
後側の側壁１７ｂ２には送風機１５が取り付けられており、送風機１５の下部に対応して底壁１７ｃが設けられている。底壁１７ｃには、左右方向の中央部かつ前後方向の後部に、洗浄液及び汚れ等を排水するための第２排水口２７が設けられている。第２排水口２７からは、排水管２８が延びている。底壁１７ｃは、側壁１７ｂから第２排水口２７に向かうにつれて下方に向かっていると、排水が第２排水口２７に向かい易く好ましい。例えば、底壁１７ｃは、前後方向において第２排水口２７に向かうにつれて下方に向かう構成と、左右方向において第２排水口２７に向かうにつれて下方に向かう構成との少なくともいずれかの構成が採用されて形成されていると好ましい。
【００３８】
また、送風機庫１７は、底壁１７ｃの前端から概ね上方に向かって延びる隔壁２１を有する。隔壁２１は、送風機庫１７内の第２空間Ｓ２を、隔壁２１の前側の第２空間Ｓ２ａと、隔壁２１の後側の第２空間Ｓ２ｂとに区画している。第２空間Ｓ２ａは、第１空間Ｓ１と連通しており、排気が吸気口２３から最初に取り込まれる。後側の第２空間Ｓ２ｂは、前側の第２空間Ｓ２ａと隣接しており、送風機１５が配置される。
なお、吸気口２３は、フード部１１の外周部１１ｂと整流板１３との間に加えて、隔壁２１と整流板１３との間にも形成されて、四角の環状の隙間として形成されている。
【００３９】
隔壁２１には、送風機１５と対向する位置に開口２２が設けられている。送風機１５が駆動されると、開口２２を介して、前側の第２空間Ｓ２ａから後側の第２空間Ｓ２ｂに向かう空気流が形成される。
【００４０】
隔壁２１の前側の第２空間Ｓ２ａには、第２空間Ｓ２ａの中央部に設けられた庫内洗浄部７０が備えられている。庫内洗浄部７０は、送風機庫１７の第２空間Ｓ２のうち隔壁２１の前側の第２空間Ｓ２ａに対して洗浄液を噴射する洗浄部であり、庫内上方向噴射部７１と庫内下方向噴射部７３とを有する。庫内上方向噴射部７１は弁５７を介して洗浄液供給部６５に接続されており、庫内下方向噴射部７３は弁５９を介して洗浄液供給部６５に接続されている。そして、庫内上方向噴射部７１は、制御部２０により弁５７が操作されることで、第２空間Ｓ２ａの上壁１７ａに対して上下方向の中央部から上部に向かって洗浄液を噴射する。同様に、庫内下方向噴射部７３は、制御部２０により弁５９が操作されることで、第２空間Ｓ２ａの下部に位置する整流板１３に対して上下方向の中央部から下部に向かって洗浄液を噴射する。
第２空間Ｓ２ａに噴射された洗浄液及び油分等を含む廃液は、整流板１３が受け皿となり、整流板１３に設けられた第１排水口２５から排水される。
【００４１】
また、隔壁２１には、図１、図３等に示すように、その板状面から概ね垂直に前方に延びる前方板状部２４が設けられている。前方板状部２４は、送風機庫１７の前側の第２空間Ｓ２ａと、第１空間Ｓ１との間の境界において、その境界の一部を覆うように設けられている。よって、前側の第２空間Ｓ２ａと第１空間Ｓ１との境界は、前方板状部２４が配置されていない部分において連通している。
【００４２】
この前方板状部２４は、図４に示すように、整流板１３が接触位置Ｐ１に支持されている場合に、前側の第２空間Ｓ２ａと第１空間Ｓ１との間の境界において、整流板１３の側壁１３ｂの上端と接触する。
【００４３】
なお、庫内洗浄部７０は、庫内上方向噴射部７１及び庫内下方向噴射部７３を含まず、単一の多頭ノズルから構成され、この多頭ノズルから洗浄液を噴射して前側の第２空間Ｓ２ａを洗浄してもよい。
【００４４】
隔壁２１の後側の第２空間Ｓ２ｂには、送風機洗浄部４７が設けられている。送風機洗浄部４７は、弁６１を介して洗浄液供給部６５に接続されており、制御部２０の制御により送風機１５に対して洗浄液を噴射する。後側の第２空間Ｓ２ｂに噴射された洗浄液は、第２排水口２７から排水される。
【００４５】
（２）整流板の上下動
整流板１３を上下動させ、離隔位置Ｐ０及び接触位置Ｐ１において整流板１３を支持する仕組みの一例について説明する。まずは、整流板１３の上下動及び支持の流れについて図２〜図６を用いて説明する。
【００４６】
（２−１）整流板の上下動及び支持の流れ
図３に示すように、整流板１３は、その底壁１３ａの下面とフード部１１の開口面とが概ね面一となるように位置付けられている（離隔位置Ｐ０）。この場合、第１支持部８０は伸長した状態にある。つまり、整流板１３は、伸長した第１支持部８０によりフード部１１内の第１空間Ｓ１の下端に位置付けられている。
このとき、第２支持部９０は、外周部１１ｂの収納部１２内に収納されている。これにより、第２支持部９０は、整流板１３の上下動の邪魔とならない。
【００４７】
次に、利用者が整流板１３を上方に押し上げると、第１支持部８０が縮み、図４に示すように、整流板１３が上方に位置付けられる。つまり、利用者が整流板１３を上方に押し上げると、第１支持部８０が縮み、整流板１３の側壁１３ｂの上端が全周に亘ってパネル部１１ａ及び前方板状部２４に概ね接触する。つまり、第１支持部８０は、ハウジング２の内面と接触する接触位置Ｐ１で整流板１３を支持する。
このようにハウジング２の内面と整流板１３とが接触することで、吸気口２３が閉鎖される。
【００４８】
なお、この場合、利用者が、整流板１３を接触位置Ｐ１まで押し上げると、その接触位置Ｐ１で第１支持部８０が整流板１３を支持してもよい。あるいは、利用者が、整流板１３を接触位置Ｐ１の近傍まで押し上げると、そこから第１支持部８０が接触位置Ｐ１まで整流板１３を押し上げ、第１支持部８０が接触位置Ｐ１で整流板１３を支持してもよい。
【００４９】
次に、利用者は、図２〜図４に示すように収納部１２内に収納されている第２支持部９０を、図５、図６に示すように収納部１２から引き出す。このとき、整流板１３は第１支持部８０により接触位置Ｐ１に支持されており、第２支持部９０は、この接触位置Ｐ１に支持された整流板１３の底壁１３ａを下部から支持する。よって、第１支持部８０による整流板１３の接触位置Ｐ１への支持が、第２支持部９０によって補助されている。
【００５０】
本実施形態では、整流板１３の底壁１３ａを支持する位置まで第２支持部９０を収納部１２から引き出されると、後述の洗浄許可スイッチ１２４（検出部、図９、図１０）がＯＮになる。
【００５１】
上記の図２〜図６に示すように整流板１３を上方に移動させた場合、吸気口２３が閉鎖される。よって、洗浄液噴射部Ｎによりハウジング２内に洗浄液を供給した場合でも、洗浄液及び油分等を含む廃液がレンジフード１から漏出するのを抑制できる。
【００５２】
つまり、整流板１３は、ハウジング２の内部空間Ｓの底部に設けられているため、ハウジング２の内部空間Ｓに洗浄液が供給されると、洗浄液及び油分等を含む廃液が自重により整流板１３側に落下する。この場合、整流板１３の外周とハウジング２のフード部１１の開口との隙間により形成された吸気口２３が開放されていると、吸気口２３から洗浄液及び油分等を含む廃液が漏出してしまう。しかし、上記構成によれば、洗浄液が内部空間Ｓに供給される場合には、第１支持部８０により整流板１３が接触位置Ｐ１に支持されるため、ハウジング２と整流板１３とが接触して、フード部１１の開口と整流板１３との間の隙間がなくなる。つまり、当該隙間により形成されていた吸気口２３が、ハウジング２と整流板１３との接触により閉鎖される。これにより、吸気口２３から洗浄液及び油分等を含む廃液が漏出するのを抑制できる。また、この場合、吸気口２３を開閉するための別途のシャッタが不要である。
【００５３】
また、上記構成では、整流板１３の接触位置Ｐ１への支持は、第１支持部８０だけでなく第２支持部９０によっても行われる。よって、洗浄液が内部空間Ｓに供給される場合において、整流板１３が接触位置Ｐ１から移動してずれてしまうのを抑制できる。つまり、ハウジング２と整流板１３とがより確実に接触するので、吸気口２３の閉鎖もまたより確実に行われる。よって、ハウジング２の内部空間Ｓの洗浄時において、吸気口２３から洗浄液及び油分等を含む廃液が漏出するのをさらに抑制できる。
【００５４】
なお、上記では、図２〜図６を用いて、整流板１３を上昇させてハウジング２の内面に接触させ、吸気口２３を閉鎖する様子を説明した。整流板１３を下降させて吸気口２３を形成する手順は、上記図２〜図６の手順の逆である。
【００５５】
（２−２）整流板の上下動及び支持の仕組み
次に、第１支持部８０及び第２支持部９０により整流板１３を上下動及び支持させる仕組みの一例について以下に説明する。仕組みは次のものに限定されないが、以下では、上下動の仕組みとして、プランジャ機構の第１支持部８０と、上下可動機構の第１支持部１８０及び磁石機構の組み合わせと、ばね機構の第１支持部２８０とを用いた仕組みを例に挙げて説明する。また、可動式のストッパを用いた第２支持部９０の仕組みを例に挙げて説明する。
【００５６】
（ａ）プランジャ機構及び可動式のストッパを用いた仕組み
まず、第１支持部８０としてプランジャ機構を用い、第２支持部９０として可動式のストッパを用いた場合の、整流板１３の上下動及び支持の仕組みについて図７〜図１０を用いて説明する。
【００５７】
（ａ−１）プランジャ機構
図７に示すように、第１支持部８０は、パネル部１１ａに取り付けられている固定部８１と、整流板１３の底壁１３ａの上面に取り付けられた可動部８３と、プランジャ（付勢部材）８４と、を含む。可動部８３は、固定部８１に対して可動に構成されており、可動部８３が固定部８１に対して上下に移動することで整流板１３が上下に移動する。
【００５８】
固定部８１は、例えば、内部に可動部８３を収納可能な空間を有した円筒状の部材である。そして、固定部８１の上端部がパネル部１１ａに取り付けられており、固定部８１の下端部は自由端となっている。固定部８１は、固定本体部８１ａと、固定本体部８１ａよりも水平方向の外側に突出している係止部８１ｂと、フランジ部８１ｃとを有する。係止部８１ｂは、固定本体部８１ａの上方に設けられており、後述のプランジャ先端８３ｅが係止する部分である。なお、係止部８１ｂは、固定本体部８１ａの上端の全周囲に設けられている必要はなく、固定本体部８１ａのうち、少なくともプランジャ先端部８４ａが係止する領域に設けられていればよい。フランジ部８１ｃは、固定本体部８１ａの下端に、固定本体部８１ａの内部空間の径方向内側に向かうように設けられている、フランジ部８１ｃには、可動部８３の後述の可動先端部８３ｂの段差部８３ｂ１が係止する。
【００５９】
可動部８３は、固定部８１の内部で可動できるように、例えば、円筒状の固定部８１よりも一回り小さい円柱状の部材である。可動部８３は、整流板１３の底壁１３ａに固定された可動基部８３ａと、可動基部８３ａの上方に設けられた可動先端部８３ｂとを有する。可動先端部８３ｂは、可動基部８３ａよりも大径であり、可動基部８３ａとの境界に段差部８３ｂ１を有している。可動先端部８３ｂの上部には、固定本体部８１ａの係止部８１ｂに対応する側に、プランジャ８４を収納可能なプランジャ収納凹部８３ｂ２が設けられている。係止部８１ｂが固定本体部８１ａに対して水平方向に沿って外側に突出しているのに応じて、プランジャ収納凹部８３ｂ２は水平方向に沿って形成されている。よって、プランジャ収納凹部８３ｂ２は、可動先端部８３ｂの側部において開口するように形成されている。
【００６０】
プランジャ８４は、プランジャ収納凹部８３ｂ２から突出可能なプランジャ先端部８４ａと、プランジャ先端部８４ａに弾性による付勢力を付与するバネ８４ｂとを有する。プランジャ８４は、プランジャ先端部８４ａが係止部８１ｂに係止可能なように、係止部８１ｂが突出している側にプランジャ先端部８４ａが付勢されるように取り付けられている。図７の場合、バネ８４ｂの一端が、水平方向に沿ったプランジャ収納凹部８３ｂ２のうち、水平方向の奥側に取り付けられている。そして、バネ８４ｂの他端にプランジャ先端部８４ａが取り付けられている。
【００６１】
上記では、バネ８４ｂを有するプランジャ８４を用いて、プランジャ先端部８４ａを係止部８１ｂに係止させることで可動部８３を固定部８１に固定している。しかし、プランジャ先端部８４ａを係止部８１ｂに係止させるための付勢力を有する部材としては、バネ８４ｂに限らず、弾性を有する種々の部材を用いることができる。
【００６２】
（ａ−２）可動式のストッパ
第２支持部９０は、可動式のストッパであり、これに限定されないが、例えば長尺状の板状部９１を有する。第２支持部９０は、未使用時は、図２、図９等に示すように、外周部１１ｂの収納部１２内に収納されて、退避位置に位置付けられている。退避位置では、第２支持部９０は、その板状面が整流板１３の側壁１３ｂに面している。ここで、収納部１２は、外周部１１ｂの側壁１１ｂ１に形成された凹部である。収納部１２は、第２支持部９０の長手方向に沿って並んだ、第１凹部１２１、第２凹部１２２及び第３凹部１２３を有する。第１凹部１２１及び第３凹部１２３の外周部１１ｂへの凹みは、第２凹部１２２よりも大きい。
【００６３】
そして、第２支持部９０は、長手方向の一端が、第３凹部１２３に設けられたピン９３を介して収納部１２内に可動に固定されている。第２支持部９０の長手方向の他端は、第２凹部１２２に達しているが、第２支持部９０の他端と第１凹部１２１との間には隙間が形成されている。この隙間は、ユーザが第２支持部９０を回動により収納部１２から引き出す際の指等の挿入部となる。
【００６４】
第３凹部１２３には、洗浄許可スイッチ１２４（検出部）が設けられている。図９に示すように第２支持部９０が収納部１２に収納されて退避位置にある場合には、洗浄許可スイッチ１２４が開放されてＯＦＦになっている。この場合、洗浄動作は禁止されており、洗浄液噴射部Ｎによりハウジング２内に洗浄液が供給されない。一方、図１０に示すように、第２支持部９０が収納部１２から引き出されて支持位置にある場合には、洗浄許可スイッチ１２４が押圧されてＯＮになっている。この場合、制御部２０は、洗浄許可スイッチ１２４のＯＮを検出すると、洗浄液供給部６５及び各種弁等による洗浄動作を許可する。よって、整流板１３を第１支持部８０及び第２支持部９０によって接触位置Ｐ１に支持させて、吸気口２３の閉鎖の確実性が高まった状態において、洗浄液が内部空間Ｓに供給できる。
【００６５】
なお、第２支持部９０は、接触位置Ｐ１に支持された整流板１３を、さらに支持する際に、退避位置から支持位置まで移動される。このように第２支持部９０は、未使用時に第２支持部９０が収納部１２に収納されているため、整流板１３を上下動させる際に第２支持部９０が邪魔にならない。また、ハウジング２の内部空間Ｓに排気を取り込む際には、吸気口２３が開放されている。このように吸気口２３が開放されている場合に、第２支持部９０が退避位置に位置付けられているため、吸気口２３からの排気の取り込みにおいて第２支持部９０が邪魔にならない。
【００６６】
また、第２支持部９０を収納部１２に収納できることで、レンジフード１の凹凸が少なく、清掃がし易く、見た目にもすっきり感があり優れている。
なお、第２支持部９０は、接触位置Ｐ１に位置付けられている整流板１３の底壁１３ａを支持可能なように、収納部１２内の所定の高さ位置に取り付けられている。
【００６７】
（ａ−３）プランジャ機構及びストッパによる整流板の上下動
プランジャ機構からなる第１支持部８０は、図３に示すように整流板１３が離隔位置Ｐ０に位置している場合は、図７に示すように、可動部８３が固定部８１に対して離隔位置Ｑ０に位置している。図７では、可動部８３の段差部８３ｂ１が、固定部８１のフランジ部８１ｃに係止している。この場合、プランジャ８４のプランジャ先端部８４ａが、固定部８１の固定本体部８１ａの内壁に接しているため、固定本体部８１ａからの押圧力を受けてバネ８４ｂが収縮した状態である。そして、プランジャ８４が、可動部８３のプランジャ収納凹部８３ｂ２内に収納されている。
【００６８】
次に、整流板１３を図３に示す離隔位置Ｐ０から、図４に示す接触位置Ｐ１に移動させると、整流板１３の移動とともに可動部８３が固定部８１に対して上方に移動する。そして、整流板１３が接触位置Ｐ１に位置している場合は、図８に示すように、可動部８３が固定部８１に対して接触位置Ｑ１に位置している。接触位置Ｑ１でのバネ８４ｂは、離隔位置Ｑ０において受けていた押圧力の一部が開放され、付勢力によりプランジャ先端部８４ａをプランジャ収納凹部８３ｂ２から突出させる。よって、プランジャ先端部８４ａは、可動部８３が離隔位置Ｑ０から接触位置Ｑ１へ移動することにより、プランジャ収納凹部８３ｂ２から突出し、固定本体部８１ａから外側に突出した係止部８１ｂに係止している。
【００６９】
上記のように、バネ８４ｂへの押圧力の付加、又は、押圧力の一部の開放によって、整流板１３を、プランジャ機構からなる第１支持部８０により接触位置Ｐ１に位置付けることができる。これにより、ハウジング２と整流板１３とが接触して吸気口２３が閉鎖される。
【００７０】
次に、整流板１３が第１支持部８０によって図４に示す接触位置Ｐ１に支持されると、ユーザは、図９の退避位置にある第２支持部９０を収納部１２から引き出し、図１０に示すように支持位置に移動させる。第２支持部９０を支持位置に移動させることで、第２支持部９０は、接触位置Ｐ１に支持された整流板１３の底壁１３ａの下面を支持する。このとき、ユーザは、第２支持部９０の他端と第１凹部１２１との間の隙間に指等を掛けることで、第２支持部９０を収納部１２から容易に引き出すことができる。
【００７１】
以上のようにして、第１支持部８０及び第２支持部９０により接触位置Ｐ１に整流板１３が支持される。これにより、ハウジング２と整流板１３とが接触して吸気口２３が確実に閉鎖される。そのため、ハウジング２の内部空間の洗浄時において、吸気口２３から洗浄液及び油分等を含む廃液が漏出するのを抑制できる。
【００７２】
（３）フィルターユニット
図３及び図４に示されるように、本実施形態に係るレンジフード１では、整流板１３を上下動及び支持させる上述の仕組みを備えることによって、洗浄液及び油分等を含む廃液を排出するための排液管が、第１排水口２５（排液口の一例）に連通されている排水管２６（第１排液管の一例）と、排水管２６と分離されてハウジング２の外側に連通する排液用配管２９（第２排液管の一例）とに分離可能に構成されている。
【００７３】
排水管２６は、整流板１３より概ね鉛直方向に延びており、後述するカバー部材３７に設けられているガイド部材５０において上下方向に移動可能に挿入されている。また排液用配管２９は、概ね水平方向に延びて壁Ｗを貫通しており、その先端部分２９ａが、カバー部材３７のガイド部３７ａの段部に嵌め込まれて固定されている。
【００７４】
廃液から油分等を除去するフィルターユニット３０は、排水管２６と排液用配管２９との間の分断部分を利用して取り付けられているものであり、排水管２６と排液用配管２９との間に着脱自在に装着される。
【００７５】
図１１及び図１２に示されるように、フィルターユニット３０は、排水管２６が挿入される外観が略立方体状で内側が円筒状の被挿入部３１と、排液用配管２９に挿入される円筒状の挿入部３２とを備える。被挿入部３１及び挿入部３２の内側に、廃液を導入する導入路３３が形成されており、導入路３３にフィルター３４が設けられている。フィルター３４については、フィルターユニット３０から取り外せるような構成であっても良いし、あるいはフィルターユニット３０と一体化されているものであっても良い。
【００７６】
被挿入部３１には、フィルターユニット３０の着脱時において排水管２６が通過可能な切欠き部３５が設けられている。本実施形態における切欠き部３５の形状は、円筒を縦に略半分に割ってできたような形状となっている。この切欠き部３５が設けられていることによって、例え整流板１３が、図３、図１３に示されるような、離隔位置Ｐ０（第１位置）にある場合や、あるいは、図４、図１４に示されるような接触位置Ｐ１（第２位置）にある場合であっても、排水管２６（ガイド部材５０）に干渉されることなく、フィルターユニット３０を着脱することができる。
【００７７】
被挿入部３１の外側面には、ユーザがフィルターユニット３０を着脱し易いように、ユーザが摘まむことができる取っ手部３６が設けられている。
【００７８】
本実施形態に係るレンジフード１は、排水管２６と排液用配管２９とを覆うカバー部材３７を備える。カバー部材３７は、壁Ｗに固定されており、フィルターユニット３０を装着するための開口３８が形成されている。カバー部材３７を設けることによって、排水管２６と排液用配管２９を流れる、洗浄液及び油分等を含む汚れた廃液が見え難くなり、外観上の意匠性も向上する
【００７９】
フィルターユニット３０は、カバー部材３７の開口３８に挿入されると、被挿入部３１の切欠き部３５を介して、排水管２６が挿入されているガイド部５０が被挿入部３１に配置され挿入された状態となると共に、カバー部材３７のガイド部３７ａにガイドされつつ、挿入部３２が排液用配管２９の先端部分２９ａに挿入される。このとき、フィルターユニット３０は、カバー部材３７のガイド部３７ａと排液用配管２９の先端部分２９ａによって支持されつつ、挿入部３２の先端が、排液用配管２９の先端部分２９ａの内側の段部と接触して、カバー部材３７と略面一となるように開口３８に嵌め込まれる。
【００８０】
洗浄液及び油分等を含む廃液は、第１排水口２５から排水管２６に流れ込むと、ガイド部材５０を経て、フィルターユニット３０の被挿入部３１の導入路３３に流れてフィルター３４を通過し、このときに油分等がフィルター３４によって捕獲される。その後、挿入部３２の導入路３３に流れて、さらに排液用配管２９へと流れて、レンジフード１の外部に排出される。
【００８１】
本構成によれば、フィルターユニット３０のフィルター３４によって廃液中の油分等が捕獲されるため、油分等が排液管内に蓄積することによる詰まりの発生を防止することができる。また、フィルターユニット３０が排液管に対して着脱自在に構成されているため、フィルターユニット３０を定期的に取り外して、そのフィルター３４の清掃を行うか、あるいはフィルター３４そのものを交換することも容易に行うことができる。
【００８２】
また、本実施形態に示されているように、レンジフード１は、フィルターユニット３０の装着状態を検知する着脱検知スイッチ３９を備えていても良い。本実施形態における着脱検知スイッチ３９は、排液用配管２９の先端部分２９ａの上面に設けられており、フィルターユニット３０がカバー部材３７の開口３８に嵌め込まれると、着脱検知スイッチ３９が被挿入部３１の外側面に接触してＯＮになるように構成されている。適用可能な着脱検知スイッチ３９としては、例えば、公知のマイクロスイッチが挙げられる。
【００８３】
着脱検知スイッチ３９によってフィルターユニット３０の装着状態を検知することで、フィルターユニット３０が装着されていない状態では、洗浄動作が実施されないように構成することもできる。これにより、フィルターユニット３０の取付忘れが防止され、洗浄液及び油分等を含む廃液が、より確実にフィルター３４処理されることとなり、油分等が排液管内に蓄積することによる詰まりの発生をより確実に防止することができる。
【００８４】
〔他の実施形態〕
（１）上述の実施形態においては、排水管２６と排液用配管２９との間にフィルターユニット３０を装着することによってフィルター３４を設ける構成が示されているが、これに限定されるものではなく、排水管２８にもフィルター３４を設ける構成としても良い。
（２）上述の実施形態においては、整流板１３が上下動するレンジフード１に対してフィルターユニット３０を設ける構成が示されているが、これに限定されるものではなく、上下動しない整流板から延びる排水管にフィルター３４を設けるようにしても良い。
（３）上述の実施形態においては、ガイド部材５０を設ける構成が示されているが、これに限定されるものではなく、例えば、整流板１３が上下動しても排水管２６が被挿入部３１内に配置されるような場合においては、ガイド部材５０を設けない構成としても良い。
（４）上述の実施形態においては、被挿入部３１の外観が略立方体状である構成が示されているが、これに限定されるものではなく、その外観も円筒状であるような構成としても良い。
【産業上の利用可能性】
【００８５】
本発明は、洗浄機能付きのレンジフードに関する産業技術分野において好適に利用することができる。
【符号の説明】
【００８６】
２９：排液用配管
２９ａ：先端部分
３０：フィルターユニット
３１：被挿入部
３２：挿入部
３３：導入路
３４：フィルター
３５：切欠き部
３６：取っ手部
３７：カバー部材
３７ａ：ガイド部
３８：開口
３９：着脱検知スイッチ
５０：ガイド部材
Ｗ：壁
【図１】
2019158261.tif 000003
【図２】
2019158261.tif 000004
【図３】
2019158261.tif 000005
【図４】
2019158261.tif 000006
【図５】
2019158261.tif 000007
【図６】
2019158261.tif 000008
【図７】
2019158261.tif 000009
【図８】
2019158261.tif 000010
【図９】
2019158261.tif 000011
【図１０】
2019158261.tif 000012
【図１１】
2019158261.tif 000013
【図１２】
2019158261.tif 000014
【図１３】
2019158261.tif 000015
【図１４】
2019158261.tif 000016